(57)【要約】【課題】携帯端末において、コンテンツデータのダウンロード時間を有効活用する。【解決手段】携帯端末からのコンテンツデータのダウンロード要求が発生した時に、携帯端末は、コンテンツデータおよび広告データの送信要求をサーバに対して行い、受信した広告データを一旦保携帯端末が保存する。携帯端末はコンテンツデータのダウンロード時に、以前保存していた広告データもしくは今回受信した広告データの画面を表示する。広告データについては、その広告データを表示中に、その広告をリストに保存し、後で参照できるようにするか選択することを可能とする。アンケートを表示する際には、アンケートを入力する画面を表示し利用者からの入力を得て情報を収集できるようにする携帯端末、コンテンツダウンロード方法、コンテンツダウンロードプログラムを提供する。【選択図】図４
2005293328.tif 000002
【特許請求の範囲】
【請求項１】
ネットワークからコンテンツデータをダウンロードする携帯端末であって、
コンテンツデータおよび広告データを取得するデータ取得手段と、前記コンテンツデータおよび前記広告データを保存する記憶部と、表示手段を備え、
前記携帯端末が前記コンテンツデータを要求したときに、前記コンテンツデータの受信経過状況を前記表示手段に表示するとともに、配信される前記コンテンツデータおよび前記広告データを、前記記憶部に保存し、
既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示することを特徴とする携帯端末。
【請求項２】
ネットワークからコンテンツデータをダウンロードする携帯端末であって、
コンテンツデータおよび広告データを取得するデータ取得手段と、前記コンテンツデータおよび前記広告データを保存する記憶部と、表示手段を備え、
前記携帯端末が前記コンテンツデータを要求したときに、前記コンテンツデータの受信経過状況を前記表示手段に表示するとともに、配信される前記コンテンツデータおよび前記広告データを、前記記憶部に保存し、
前回のダウンロード時に前記記憶部に保存された前記広告データがあるときは、前記コンテンツデータおよび前記広告データのダウンロード中に前記記憶部に保存されている前記広告データを前記表示手段に表示することを特徴とする携帯端末。
【請求項３】
ネットワークからコンテンツデータをダウンロードする携帯端末であって、
コンテンツデータおよび広告データを取得するデータ取得手段と、前記コンテンツデータおよび前記広告データを保存する記憶部と、表示手段を備え、
前記携帯端末が前記コンテンツデータを要求したときに、前記コンテンツデータの受信経過状況を前記表示手段に表示するとともに、第１番目に前記広告データ、第２番目に前記コンテンツデータという順序で配信される前記コンテンツデータおよび前記広告データを、前記記憶部に保存し、
前記広告データの受信終了後に、前記記憶部に保存した前記広告データを、前記コンテンツデータのダウンロード中に前記表示手段に表示することを特徴とする携帯端末。
【請求項４】
ネットワークからコンテンツデータをダウンロードする携帯端末であって、
コンテンツデータおよびアンケートデータを取得するデータ取得手段と、前記コンテンツデータおよび前記アンケートデータを保存する記憶部と、表示手段を備え、
前記携帯端末が前記コンテンツデータを要求したときに、前記コンテンツデータの受信経過状況を前記表示手段に表示するとともに、配信される前記コンテンツデータおよび前記広告データを、前記記憶部に保存し、
既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示することを特徴とする携帯端末。
【請求項５】
ネットワークからコンテンツデータをダウンロードする携帯端末であって、
コンテンツデータおよびアンケートデータを取得するデータ取得手段と、前記コンテンツデータおよび前記アンケートデータを保存する記憶部と、表示手段を備え、
前記携帯端末が前記コンテンツデータを要求したときに、前記コンテンツデータの受信経過状況を前記表示手段に表示するとともに、配信される前記コンテンツデータおよび前記アンケートデータを、前記記憶部に保存し、
前回のダウンロード時に前記記憶部に保存された前記アンケートデータがあるときは、前記コンテンツデータおよび前記アンケートデータのダウンロード中に前記記憶部に保存しておいたアンケートデータを前記表示手段に表示することを特徴とする携帯端末。
【請求項６】
ネットワークからコンテンツデータをダウンロードする携帯端末であって、
コンテンツデータおよびアンケートデータを取得するデータ取得手段と、前記コンテンツデータおよび前記広告データを保存する記憶部と、表示手段を備え、
前記携帯端末が前記コンテンツデータを要求したときに、前記コンテンツデータの受信経過状況を前記表示手段に表示するとともに、第１番目に前記アンケートデータ、第２番目に前記コンテンツデータという順序で配信される前記コンテンツデータおよび前記アンケートデータを、前記記憶部に保存し、
前記広告データの受信終了後に、前記記憶部に保存した前記アンケートデータを、前記コンテンツデータのダウンロード中に前記表示手段に表示することを特徴とする携帯端末。
【請求項７】
ネットワークからコンテンツデータをダウンロードするコンテンツダウンロード方法であって、
携帯端末がコンテンツデータおよび広告データを取得する第１ステップと、
前記携帯端末が前記コンテンツデータを要求したときに、前記コンテンツデータの受信経過状況を携帯端末の表示手段に表示するともに、配信される前記コンテンツデータおよび前記広告データを携帯端末の記憶部に保存する第２ステップと、
既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示する第３ステップと、
を含んだことを特徴とするコンテンツダウンロード方法。
【請求項８】
ネットワークからコンテンツデータをダウンロードするコンテンツダウンロード方法であって、
携帯端末が前記コンテンツデータおよび広告データを取得する第１ステップと、
前記携帯端末が前記コンテンツデータを要求したときに、前記コンテンツデータの受信経過状況を携帯端末の表示手段に表示するともに、配信される前記コンテンツデータおよび前記広告データを携帯端末の記憶部に保存する第２ステップと、
前回のダウンロード時に保存した前記広告データがあるときは、前記コンテンツデータおよび前記広告データのダウンロード中に前記記憶部に保存されている前記広告データを前記表示手段に表示する第３ステップと、
を含んだことを特徴とするコンテンツダウンロード方法。
【請求項９】
ネットワークからコンテンツデータをダウンロードするコンテンツダウンロード方法であって、
携帯端末がコンテンツデータおよび広告データを取得する第１ステップと、
前記携帯端末が前記コンテンツデータを要求したときに、前記コンテンツデータの受信経過状況を携帯端末の表示手段に表示するともに、第１番目に前記広告データを、第２番目に前記コンテンツデータという順序で配信される前記コンテンツデータおよび前記広告データを、携帯端末の記憶部に保存する第２ステップと、
前記広告データの受信終了後に、前記記憶部に保存した前記広告データを、前記コンテンツデータのダウンロード中に前記表示手段に表示する第３ステップと、
を含んだことを特徴とするコンテンツダウンロード方法。
【請求項１０】
ネットワークからコンテンツデータをダウンロードするコンテンツダウンロード方法であって、
携帯端末がコンテンツデータおよびアンケートデータを取得する第１ステップと、
前記携帯端末が前記コンテンツデータを要求したときに、前記コンテンツデータの受信経過状況を携帯端末の表示手段に表示するともに、配信される前記コンテンツデータおよび前記アンケートデータを携帯端末の記憶部に保存する第２ステップと、
既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示する第３ステップと、
を含んだことを特徴とするコンテンツダウンロード方法。
【請求項１１】
ネットワークからコンテンツデータをダウンロードするコンテンツダウンロード方法であって、
携帯端末が前記コンテンツデータおよびアンケートデータを取得する第１ステップと、
前記携帯端末が前記コンテンツデータを要求したときに、前記コンテンツデータの受信経過状況を携帯端末の表示手段に表示するともに、配信される前記コンテンツデータおよび前記アンケートデータを携帯端末の記憶部に保存する第２ステップと、
前回のダウンロード時に保存した前記アンケートデータがあるときは、前記コンテンツデータおよび前記アンケートデータのダウンロード中に前記記憶部に保存されている前記アンケートデータを前記表示手段に表示する第３ステップと、
を含んだことを特徴とするコンテンツダウンロード方法。
【請求項１２】
ネットワークからコンテンツデータをダウンロードするコンテンツダウンロード方法であって、
携帯端末がコンテンツデータおよびアンケートデータを取得する第１ステップと、
前記携帯端末が前記コンテンツデータを要求したときに、前記コンテンツデータの受信経過状況を携帯端末の表示手段に表示するともに、第１番目に前記アンケートデータを、第２番目に前記コンテンツデータという順序で配信される前記コンテンツデータおよび前記アンケートデータを、携帯端末の記憶部に保存する第２ステップと、
前記アンケートデータの受信終了後に、前記記憶部に保存した前記アンケートデータを、前記コンテンツデータのダウンロード中に前記表示手段に表示する第３ステップと、
を含んだことを特徴とするコンテンツダウンロード方法。
【請求項１３】
記憶部と表示手段を有し、ネットワークからコンテンツデータをダウンロードする携帯端末で実行可能なコンテンツダウンロードプログラムであって、
コンテンツデータおよび広告データを取得するデータ取得ステップと、
前記携帯端末が前記コンテンツデータを要求したときに、前記コンテンツデータの受信経過状況を前記表示手段に表示するともに、配信される前記コンテンツデータおよび前記広告データを前記記憶部に保存するステップと、
既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示するステップと、
を実行させることを特徴とするコンテンツダウンロードプログラム。
【請求項１４】
記憶部と表示手段を有し、ネットワークからコンテンツデータをダウンロードする携帯端末で実行可能なコンテンツダウンロードプログラムであって、
コンテンツデータおよび広告データを取得するデータ取得ステップと、
前記携帯端末が前記コンテンツデータを要求したときに、前記コンテンツデータの受信経過状況を前記表示手段に表示するともに、配信される前記コンテンツデータおよび前記広告データを前記記憶部に保存するステップと、
前回のダウンロード時に保存した前記広告データがあるときは、前記コンテンツデータおよび前記広告データのダウンロード中に前記記憶部に保存されている前記広告データを前記表示手段に表示するステップと、
を実行させることを特徴とするコンテンツダウンロードプログラム。
【請求項１５】
記憶部と表示手段を有し、ネットワークからコンテンツデータをダウンロードする携帯端末で実行可能なコンテンツダウンロードプログラムであって、
コンテンツデータおよび広告データを取得するデータ取得ステップと、
前記携帯端末が前記コンテンツデータを要求したときに、前記コンテンツデータの受信経過状況を前記表示手段に表示するともに、第１番目に前記広告データを、第２番目に前記コンテンツデータという順序で配信される前記コンテンツデータおよび前記広告データを、前記記憶部に保存するステップと、
前記広告データの受信終了後に、前記記憶部に保存した前記広告データを、前記コンテンツデータのダウンロード中に前記表示手段に表示するステップと、
を実行させることを特徴とするコンテンツダウンロードプログラム。
【請求項１６】
記憶部と表示手段を有し、ネットワークからコンテンツデータをダウンロードする携帯端末で実行可能なコンテンツダウンロードプログラムであって、
コンテンツデータおよびアンケートデータを取得するデータ取得ステップと、
前記携帯端末が前記コンテンツデータを要求したときに、前記コンテンツデータの受信経過状況を前記表示手段に表示するともに、配信される前記コンテンツデータおよび前記アンケートデータを前記記憶部に保存するステップと、
既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示するステップと、
を実行させることを特徴とするコンテンツダウンロードプログラム。
【請求項１７】
記憶部と表示手段を有し、ネットワークからコンテンツデータをダウンロードする携帯端末で実行可能なコンテンツダウンロードプログラムであって、
コンテンツデータおよびアンケートデータを取得するデータ取得ステップと、
前記携帯端末が前記コンテンツデータを要求したときに、前記コンテンツデータの受信経過状況を前記表示手段に表示するともに、配信される前記コンテンツデータおよび前記アンケートデータを前記記憶部に保存するステップと、
前回のダウンロード時に保存した前記アンケートデータがあるときは、前記コンテンツデータおよび前記アンケートデータのダウンロード中に前記記憶部に保存されている前記アンケートデータを前記表示手段に表示するステップと、
を実行させることを特徴とするコンテンツダウンロードプログラム。
【請求項１８】
記憶部と表示手段を有し、ネットワークからコンテンツデータをダウンロードする携帯端末で実行可能なコンテンツダウンロードプログラムであって、
コンテンツデータおよびアンケートデータを取得する第１ステップと、
前記携帯端末が前記コンテンツデータを要求したときに、前記コンテンツデータの受信経過状況を前記表示手段に表示するともに、第１番目に前記アンケートデータを、第２番目に前記コンテンツデータという順序で配信される前記コンテンツデータおよび前記アンケートデータを、前記記憶部に保存する第２ステップと、
前記アンケートデータの受信終了後に、前記記憶部に保存した前記アンケートデータを、前記コンテンツデータのダウンロード中に前記表示手段に表示する第３ステップと、
を実行させることを特徴とするコンテンツダウンロードプログラム。
【請求項１９】
ネットワークを介してサーバシステムとの間で通信可能な携帯端末であって、
前記サーバシステムにはコンテンツデータおよび広告データが記憶されており、前記サーバシステムよりコンテンツデータをダウンロードする第１ダウンロード手段と、
前記第１ダウンロード手段によりコンテンツデータをダウンロードするタイミングをトリガとして前記サーバシステムより広告データをダウンロードする第２ダウンロード手段と、
前記第２ダウンロード手段でダウンロードされた広告データを記憶する記憶手段と、
前記第１ダウンロード手段によりコンテンツデータをダウンロードする間に、前記記憶手段に記憶された広告データに基づいて広告表示を行う表示手段と、
を備えたことを特徴とする携帯端末。
【請求項２０】
ネットワークを介してサーバシステムとの間で通信可能な携帯端末であって、
前記サーバシステムにはコンテンツデータおよび広告データが記憶されており、前記サーバシステムよりコンテンツデータをダウンロードする第１ダウンロード手段と、
前記第１ダウンロード手段によりコンテンツデータをダウンロードするタイミングをトリガとして前記サーバシステムより広告データをダウンロードする第２ダウンロード手段と、
前記第２ダウンロード手段でダウンロードされた広告データを記憶する記憶手段と、
前記記憶手段で広告データを記憶した後、前記第１ダウンロード手段によりコンテンツデータをダウンロードする間に、前記記憶手段に記憶された広告データに基づいて広告表示を行う表示手段と、
を備えたことを特徴とする携帯端末。
【請求項２１】
ネットワークを介してサーバシステムとの間で通信可能な携帯端末であって、
前記サーバシステムにはコンテンツデータおよび広告データが記憶されており、前記サーバシステムよりコンテンツデータをダウンロードする第１ダウンロード手段と、
前記第１ダウンロード手段によりコンテンツデータをダウンロードするタイミングをトリガとしてコンテンツデータをダウンロードする前に前記サーバシステムより広告データをダウンロードする第２ダウンロード手段と、
前記第２ダウンロード手段でダウンロードされた広告データを記憶する記憶手段と、
前記記憶手段で広告データを記憶し、前記第１ダウンロード手段によりコンテンツデータをダウンロードする間に、前記記憶手段に記憶された広告データに基づいて広告表示を行う表示手段と、
を備えたことを特徴とする携帯端末。
【請求項２２】
ネットワークを介してサーバシステムとの間で通信可能な携帯端末のコンピュータにより実行可能なプログラムであって、
前記コンピュータに、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとして前記サーバシステムより広告データをダウンロードする第２ステップと、
前記第２ステップでダウンロードされた広告データを記憶する第３ステップと、
前記第１ステップによりコンテンツデータをダウンロードする間に、前記第３ステップに記憶された広告データに基づいて広告表示を行う第４ステップと、
を実行させることを特徴とするプログラム。
【請求項２３】
ネットワークを介してサーバシステムとの間で通信可能な携帯端末のコンピュータにより実行可能なプログラムであって、
前記コンピュータに、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとして前記サーバシステムより広告データをダウンロードする第２ステップと、
前記第２ステップでダウンロードされた広告データを記憶する第３ステップと、
前記第３ステップで広告データを記憶した後、前記第１ステップによりコンテンツデータをダウンロードする間に、前記第３ステップに記憶された広告データに基づいて広告表示を行う第４ステップと、
を実行させることを特徴とするプログラム。
【請求項２４】
ネットワークを介してサーバシステムとの間で通信可能な携帯端末のコンピュータにより実行可能なプログラムであって、
前記コンピュータに、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとしてコンテンツデータをダウンロードする前に前記サーバシステムより広告データをダウンロードする第２ステップと、
前記第２ステップでダウンロードされた広告データを記憶する第３ステップと、
前記記憶手段で広告データを記憶し、前記第１ステップによりコンテンツデータをダウンロードする間に、前記第３ステップに記憶された広告データに基づいて広告表示を行う第４ステップと、
を実行させることを特徴とするプログラム。
【請求項２５】
ネットワークを介してサーバシステムとの間で通信可能な携帯端末のコンテンツダウンロード方法であって、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとして前記サーバシステムより広告データをダウンロードする第２ステップと、
前記第２ステップでダウンロードされた広告データを記憶する第３ステップと、
前記第１ステップによりコンテンツデータをダウンロードする間に、前記第３ステップに記憶された広告データに基づいて広告表示を行う第４ステップと、
を含んだことを特徴とするコンテンツダウンロード方法。
【請求項２６】
ネットワークを介してサーバシステムとの間で通信可能な携帯端末のコンテンツダウンロード方法であって、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとして前記サーバシステムより広告データをダウンロードする第２ステップと、
前記第２ステップでダウンロードされた広告データを記憶する第３ステップと、
前記第３ステップで広告データを記憶した後、前記第１ステップによりコンテンツデータをダウンロードする間に、前記第３ステップに記憶された広告データに基づいて広告表示を行う第４ステップと、
を含んだことを特徴とするコンテンツダウンロード方法。
【請求項２７】
ネットワークを介してサーバシステムとの間で通信可能な携帯端末のコンテンツダウンロード方法であって、
前記サーバシステムにはコンテンツデータおよび広告データが記憶されており、前記サーバシステムよりコンテンツデータをダウンロードする第１ステップと、
前記第１ステップによりコンテンツデータをダウンロードするタイミングをトリガとしてコンテンツデータをダウンロードする前に前記サーバシステムより広告データをダウンロードする第２ステップと、
前記第２ステップでダウンロードされた広告データを記憶する第３ステップと、
前記記憶手段で広告データを記憶し、前記第１ステップによりコンテンツデータをダウンロードする間に、前記第３ステップに記憶された広告データに基づいて広告表示を行う第４ステップと、
を含んだことを特徴とするコンテンツダウンロード方法。
【発明の詳細な説明】
【技術分野】
【０００１】
本発明は、ネットワークを介して携帯端末にサービスを提供するコンテンツのダウンロードに関し、特に携帯端末がデータのダウンロード中に広告もしくはアンケートの表示を行う技術に関する。
【背景技術】
【０００２】
昨今、携帯電話の普及に伴って、ネットワーク上で着信メロディ（以下、着メロという）、携帯端末上で動作するアプリケーション、待ち受け画像などの様々なデジタルコンテンツが提供されている。
【０００３】
携帯電話用のコンテンツを提供するコンテンツプロバイダは、インターネット上にサイトを開設している。携帯電話からは、携帯電話網からインターネットへのゲートウェイを介してインターネットに接続し、それからコンテンツプロバイダのサイトに接続するという接続構成になっている。上記サイトではＨＴＴＰ（ハイパー・テキスト・トランスファー・プロトコル）を利用して様々な情報を提供しており、携帯電話ではＷＥＢブラウザを利用して上記様々なコンテンツをダウンロードすることが可能となっている。
【０００４】
携帯端末では、アプリケーションプログラムを実行する環境として例えばＪＡＶＡ（登録商標）やＢＲＥＷ（ブリュー：Ｂｉｎａｒｙ  Ｒｕｎｔｉｍｅ  Ｅｎｖｉｒｏｎｍｅｎｔ  ｆｏｒ  Ｗｉｒｅｌｅｓｓ）などといった実行環境がある。アプリケーションプログラム本体は例えばサーバ側に有し、携帯端末がサーバにアクセスする際に、サーバ側から例えば上記ＪＡＶＡ（登録商標）の実行環境で動作するアプリケーションをダウンロードして携帯端末に記憶し、動作させることで様々なサービスをソフトウェアで提供出来るようになってきている。
【０００５】
携帯電話自体の機能も豊富になりメモリの記憶容量も増加傾向にある。以前は容量が小さかった着メロのデータサイズも機能が増すにつれて大きくなってきている。よってダウンロードするデータサイズも増加傾向であり、ダウンロードに要する時間も以前よりも増加している。携帯電話の普及によりコンテンツプロバイダが提供する様々なデジタルコンテンツデータをダウンロードする機会も増えている。
【０００６】
またダウンロードするデータをサーバ側で圧縮し、受信した携帯端末側でアプリケーションによって伸張させることで、送信するパケットの容量を減らし、ダウンロード時間の削減を可能にしている技術も提案されている（特許文献１）。
【特許文献１】特許第３４１６６４７号公報
【発明の開示】
【発明が解決しようとする課題】
【０００７】
このように従来においては、携帯端末のコンテンツプロバイダのサイトから着メロや画像、動画などの様々なデジタルコンテンツをダウンロードするに際し、ダウンロードの経過表示以外の画面表示は無く、ダウンロードに要する時間を有効利用出来ていなかった。
【０００８】
容量が大きくなったデータのダウンロードには以前より多くの時間を必要とするが、サービスの利用者は予め決められたプログレスバーと呼ばれる処理中を示す経過表示や、「ダウンロード中」というメッセージもしくは予め決められた簡易な動画を表示する画面を眺めているだけであった。
【０００９】
前述した従来技術の問題を解決するために、デジタルコンテンツのダウンロード時に表示される画面を有効利用する携帯端末、デジタルコンテンツダウンロード方法、デジタルコンテンツダウンロードプログラムを提供することを目的とする。
【課題を解決するための手段】
【００１０】
上記目的を達成するために、請求項１に記載の発明である携帯端末は、ネットワークからコンテンツデータをダウンロードする携帯端末であって、コンテンツデータおよび広告データを取得するデータ取得手段と、前記コンテンツデータおよび前記広告データを保存する記憶部と、表示手段を備え、前記携帯端末が前記コンテンツデータを要求したときに、前記コンテンツデータの受信経過状況を前記表示手段に表示するとともに、配信される前記コンテンツデータおよび前記広告データを、前記記憶部に保存し、既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示するように構成される。
る。
【００１１】
請求項２に記載の発明である携帯端末は、ネットワークからコンテンツデータをダウンロードする携帯端末であって、コンテンツデータおよび広告データを取得するデータ取得手段と、前記コンテンツデータおよび前記広告データを保存する記憶部と、表示手段を備え、前記携帯端末が前記コンテンツデータを要求したときに、前記コンテンツデータの受信経過状況を前記表示手段に表示するとともに、配信される前記コンテンツデータおよび前記広告データを、前記記憶部に保存し、前回のダウンロード時に保存した前記広告データがあるときは、前記コンテンツデータおよび前記広告データのダウンロード中に前記記憶部に保存されている前記広告データを前記表示手段に表示するように構成される。
【００１２】
請求項３に記載の発明である携帯端末は、ネットワークからコンテンツデータをダウンロードする携帯端末であって、コンテンツデータおよび広告データを取得するデータ取得手段と、前記コンテンツデータおよび前記広告データを保存する記憶部と、表示手段を備え、前記携帯端末が前記コンテンツデータを要求したときに、前記コンテンツデータの受信経過状況を前記表示手段に表示するとともに、第１番目に前記広告データ、第２番目に前記コンテンツデータという順序で配信される前記コンテンツデータおよび前記広告データを、前記記憶部に保存し、前記広告データの受信終了後に、前記記憶部に保存した前記広告データを、前記コンテンツデータのダウンロード中に前記表示手段に表示するように構成される。
【００１３】
請求項４に記載の発明である携帯端末は、ネットワークからコンテンツデータをダウンロードする携帯端末であって、コンテンツデータおよびアンケートデータを取得するデータ取得手段と、前記コンテンツデータおよび前記アンケートデータを保存する記憶部と、表示手段を備え、前記携帯端末が前記コンテンツデータを要求したときに、前記コンテンツデータの受信経過状況を前記表示手段に表示するとともに、配信される前記コンテンツデータおよび前記広告データを、前記記憶部に保存し、既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示するように構成される。
【００１４】
請求項５に記載の発明である携帯端末は、ネットワークからコンテンツデータをダウンロードする携帯端末であって、コンテンツデータおよびアンケートデータを取得するデータ取得手段と、前記コンテンツデータおよび前記アンケートデータを保存する記憶部と、表示手段を備え、前記携帯端末が前記コンテンツデータを要求したときに、前記コンテンツデータの受信経過状況を前記表示手段に表示するとともに、配信される前記コンテンツデータおよび前記アンケートデータを、前記記憶部に保存し、前回のダウンロード時に保存した前記アンケートデータがあるときは、前記コンテンツデータおよび前記アンケートデータのダウンロード中に前記記憶部に保存しておいたアンケートデータを前記表示手段に表示するように構成される。
【００１５】
請求項６に記載の発明である携帯端末は、ネットワークからコンテンツデータをダウンロードする携帯端末であって、コンテンツデータおよびアンケートデータを取得するデータ取得手段と、前記コンテンツデータおよび前記広告データを保存する記憶部と、表示手段を備え、前記携帯端末が前記コンテンツデータを要求したときに、前記コンテンツデータの受信経過状況を前記表示手段に表示するとともに、第１番目に前記アンケートデータ、第２番目に前記コンテンツデータという順序で配信される前記コンテンツデータおよび前記アンケートデータを、前記記憶部に保存し、前記広告データの受信終了後に、前記記憶部に保存した前記アンケートデータを、前記コンテンツデータのダウンロード中に前記表示手段に表示するように構成される。
【００１６】
請求項７に記載の発明であるコンテンツダウンロード方法は、ネットワークからコンテンツデータをダウンロードするコンテンツダウンロード方法であって、携帯端末がコンテンツデータおよび広告データを取得する第１ステップと、前記携帯端末が前記コンテンツデータを要求したときに、前記コンテンツデータの受信経過状況を携帯端末の表示手段に表示するともに、配信される前記コンテンツデータおよび前記広告データを携帯端末の記憶部に保存する第２ステップと、既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示する第３ステップとを含んだように構成される。
【００１７】
請求項８に記載の発明であるコンテンツダウンロード方法は、ネットワークからコンテンツデータをダウンロードするコンテンツダウンロード方法であって、携帯端末が前記コンテンツデータおよび広告データを取得する第１ステップと、前記携帯端末が前記コンテンツデータを要求したときに、前記コンテンツデータの受信経過状況を携帯端末の表示手段に表示するともに、配信される前記コンテンツデータおよび前記広告データを携帯端末の記憶部に保存する第２ステップと、前回のダウンロード時に保存した前記広告データがあるときは、前記コンテンツデータおよび前記広告データのダウンロード中に前記記憶部に保存されている前記広告データを前記表示手段に表示する第３ステップとを含んだように構成される。
【００１８】
請求項９に記載の発明であるコンテンツダウンロード方法は、ネットワークからコンテンツデータをダウンロードするコンテンツダウンロード方法であって、携帯端末がコンテンツデータおよび広告データを取得する第１ステップと、前記携帯端末が前記コンテンツデータを要求したときに、前記コンテンツデータの受信経過状況を携帯端末の表示手段に表示するともに、第１番目に前記広告データを、第２番目に前記コンテンツデータという順序で配信される前記コンテンツデータおよび前記広告データを、携帯端末の記憶部に保存する第２ステップと、前記広告データの受信終了後に、前記記憶部に保存した前記広告データを、前記コンテンツデータのダウンロード中に前記表示手段に表示する第３ステップとを含んだように構成される。
【００１９】
請求項１０に記載の発明であるコンテンツダウンロード方法は、ネットワークからコンテンツデータをダウンロードするコンテンツダウンロード方法であって、携帯端末がコンテンツデータおよびアンケートデータを取得する第１ステップと、前記携帯端末が前記コンテンツデータを要求したときに、前記コンテンツデータの受信経過状況を携帯端末の表示手段に表示するともに、配信される前記コンテンツデータおよび前記アンケートデータを携帯端末の記憶部に保存する第２ステップと、既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示する第３ステップとを含んだように構成される。
【００２０】
請求項１１に記載の発明であるコンテンツダウンロード方法は、ネットワークからコンテンツデータをダウンロードするコンテンツダウンロード方法であって、携帯端末が前記コンテンツデータおよびアンケートデータを取得する第１ステップと、前記携帯端末が前記コンテンツデータを要求したときに、前記コンテンツデータの受信経過状況を携帯端末の表示手段に表示するともに、配信される前記コンテンツデータおよび前記アンケートデータを携帯端末の記憶部に保存する第２ステップと、前回のダウンロード時に保存した前記アンケートデータがあるときは前記コンテンツデータおよび前記アンケートデータのダウンロード中に前記記憶部に保存されている前記アンケートデータを前記表示手段に表示する第３ステップとを含んだように構成される。
【００２１】
請求項１２に記載の発明であるコンテンツダウンロード方法は、ネットワークからコンテンツデータをダウンロードするコンテンツダウンロード方法であって、携帯端末がコンテンツデータおよびアンケートデータを取得する第１ステップと、前記携帯端末が前記コンテンツデータを要求したときに、前記コンテンツデータの受信経過状況を携帯端末の表示手段に表示するともに、第１番目に前記アンケートデータを、第２番目に前記コンテンツデータという順序で配信される前記コンテンツデータおよび前記アンケートデータを、携帯端末の記憶部に保存する第２ステップと、前記アンケートデータの受信終了後に、前記記憶部に保存した前記アンケートデータを、前記コンテンツデータのダウンロード中に前記表示手段に表示する第３ステップとを含んだように構成される。
【００２２】
請求項１３に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよび広告データを取得するデータ取得ステップと、前記携帯端末が前記コンテンツデータを要求したときに、前記コンテンツデータの受信経過状況を前記表示手段に表示するともに、配信される前記コンテンツデータおよび前記広告データを前記記憶部に保存するステップと、既に前記記憶部に保存されている前記広告データがあるときは、前記コンテンツデータのダウンロード中もしくは、前記広告データのダウンロード中もしくは、前記コンテンツデータおよび前記広告データのダウンロード中に前記記憶部に保存されている前記広告データを前記表示手段に表示するステップとを実行させるように構成される。
【００２３】
請求項１４に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよび広告データを取得するデータ取得ステップと、前記携帯端末が前記コンテンツデータを要求したときに、前記コンテンツデータの受信経過状況を前記表示手段に表示するともに、配信される前記コンテンツデータおよび前記広告データを前記記憶部に保存するステップと、前回のダウンロード時に保存した前記広告データがあるときは、前記コンテンツデータおよび前記広告データのダウンロード中に前記記憶部に保存されている前記広告データを前記表示手段に表示するステップとを実行させるように構成される。
【００２４】
請求項１５に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよび広告データを取得するデータ取得ステップと、前記携帯端末が前記コンテンツデータを要求したときに、前記コンテンツデータの受信経過状況を前記表示手段に表示するともに、第１番目に前記広告データを、第２番目に前記コンテンツデータという順序で配信される前記コンテンツデータおよび前記広告データを、前記記憶部に保存するステップと、前記広告データの受信終了後に、前記記憶部に保存した前記広告データを、前記コンテンツデータのダウンロード中に前記表示手段に表示するステップとを実行させるように構成される。
【００２５】
請求項１６に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよびアンケートデータを取得するデータ取得ステップと、前記携帯端末が前記コンテンツデータを要求したときに、前記コンテンツデータの受信経過状況を前記表示手段に表示するともに、配信される前記コンテンツデータおよび前記アンケートデータを前記記憶部に保存するステップと、既に前記記憶部に保存されている前記アンケートデータがあるときは、前記コンテンツデータのダウンロード中もしくは、前記アンケートデータのダウンロード中もしくは、前記コンテンツデータおよび前記アンケートデータのダウンロード中に前記記憶部に保存されている前記アンケートデータを前記表示手段に表示するステップとを実行させるように構成される。
【００２６】
請求項１７に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよびアンケートデータを取得するデータ取得ステップと、前記携帯端末が前記コンテンツデータを要求したときに、前記コンテンツデータの受信経過状況を前記表示手段に表示するともに、配信される前記コンテンツデータおよび前記アンケートデータを前記記憶部に保存するステップと、前回のダウンロード時に保存した前記アンケートデータがあるときは、前記コンテンツデータおよび前記アンケートデータのダウンロード中に前記記憶部に保存されている前記アンケートデータを前記表示手段に表示するステップとを実行させるように構成される。
【００２７】
請求項１８に記載の発明であるコンテンツダウンロードプログラムは、記憶部と表示手段を有し、ネットワークからコンテンツデータをダウンロードする携帯端末で実行可能なコンテンツダウンロードプログラムであって、コンテンツデータおよびアンケートデータを取得する第１ステップと、前記携帯端末が前記コンテンツデータを要求したときに、前記コンテンツデータの受信経過状況を前記表示手段に表示するともに、第１番目に前記アンケートデータを、第２番目に前記コンテンツデータという順序で配信される前記コンテンツデータおよび前記アンケートデータを、前記記憶部に保存する第２ステップと、前記アンケートデータの受信終了後に、前記記憶部に保存した前記アンケートデータを、前記コンテンツデータのダウンロード中に前記表示手段に表示する第３ステップとを実行させるように構成される。
【発明の効果】
【００２８】
以上の説明から明らかなように、本発明によれば、携帯端末の利用者がコンテンツプロバイダのサイトからデータをダウンロードする際に、広告の表示もしくは、アンケートの表示と結果の収集などが可能となりダウンロード時間を有効に利用することが出来る。
【発明を実施するための最良の形態】
【００２９】
以下に本発明を実施するための最良の形態の一例について添付の図面を用いて詳細に説明する。先ず全体のシステム構成について説明する。図１は本発明の一実施形態による広告配信システムを示す構成図である。本実施形態による広告配信システムでは、携帯端末側に広告の表示制御を行うアプリケーションが備わっており、初めてのアクセスの際およびアプリケーションの新バージョン提供の際などに広告配信システム側からダウンロード可能になっている。
【００３０】
本広告配信システムは、例えば図１に示すように携帯端末の代表例である携帯電話１と携帯電話網４およびインターネット５を介して接続されるウェブサーバ２により構成されている。携帯電話１からウェブサーバ２にアクセスする際には、先ず携帯電話から携帯電話網４内のパケット網４Ａに接続される。パケット網４Ａから更にゲートウェイサーバ４Ｂを通してインターネット５につながっている。ゲートウェイサーバ５はパケット網４Ａとインターネット５との接続を行う機能を有している。ウェブサーバ５はコンテンツＤＢ３とＤＢインタフェース２７を介して接続されており、またインターネット５とも接続されている。
【００３１】
携帯電話１は、テンキーや機能キーなどのウェブページの閲覧に使用する入力部１２と、ウェブページの画面表示などを行う表示部１１などから構成されている。携帯電話１の代表的なブロック図を図２に示す。
【００３２】
ウェブサーバ２は、携帯電話１に対してホームページなどのウェブページの閲覧情報や、電子商取引のサービスなどを提供するものである。上記電子商取引サイトや、携帯電話のキャリア専用のサイトなどで着メロ、待ち受け画面の画像などのデジタルコンテンツのダウンロードサービスなどが提供されている。
【００３３】
上記デジタルコンテンツはコンテンツＤＢ３などに格納されていて、携帯電話１からのダウンロード要求にしたがってウェブサーバ２がコンテンツＤＢにアクセスし、要求されたコンテンツを携帯電話１に送信することが可能となっている。本実施態様ではウェブサーバ２に直接コンテンツＤＢが収容されているが、他のデータベースサーバとして独立して存在していても良い。ウェブサーバ２の代表的なブロック図を図３に示す。
【００３４】
ウェブサーバ２はＩＡ（インテル・アーキテクチャ）サーバもしくはＵＮＩＸ（登録商標）サーバなどで構成され、通信処理部２０１、制御部２０２、記憶部２０３、ＤＢインタフェース２０７などから構成される。インターネット５と携帯電話１間の通信は通信処理部２０１が制御している。記憶部２０３内にはウェブサーバ２上で動作する広告を配信するアプリケーションであるアプリケーション２０４と、配信されてくる広告を受信したり、受信と同時に携帯電話１の表示部１１に広告などを表示したりする携帯電話１上で動作するクライアントアプリケーション２０５などが記憶されている。
【００３５】
ウェブサーバ２は着メロや広告もしくはアンケートなどのデータを内部に有するコンテンツＤＢとやり取りと行って携帯電話１にコンテンツデータ、着メロデータ、広告データ、アンケートデータなどを送信する機能を有している。コンテンツＤＢ３内には、上述の様々な着メロのデータを含んでいる着メロデータファイル３０１と、様々な広告データを含む広告データファイル３０２および様々なアンケートデータを含むアンケートデータファイル３０３が登録されている。
【００３６】
ウェブサーバ２は上記コンテンツＤＢとのやり取りをＤＢインタフェース２０７で行うことで実現している。上記通信処理部２０１、記憶部２０３、ＤＢインタフェース２０７などの機能を全体的に統括し制御するのが制御部２０２である。
【００３７】
次に携帯端末の一例について説明する。図３に示すように、本実施形態では、携帯端末としてその代表例である携帯電話について述べる。携帯電話１は、内部バス２３に、表示部１１、入力部１２、音声処理部１３、ＣＰＵ１６、ＲＯＭ１７、ＲＡＭ１８、通信制御部１９などを接続しアドレス信号、制御信号などで制御するように構成されている。
【００３８】
通信制御部１９は、アンテナ２１に接続され、アンテナ２１を介して携帯電話網４と通信を行う機能を有している。この通信制御部１９により、音声通信やウェブサーバ２との通信（例えばｉモード（登録商標）など）を行うことが出来る。音声処理部１３には音声出力のためのスピーカ１４や、音声入力のためのマイク１５が接続されており、受話時や送話時の音声処理を行うものである。
【００３９】
ＲＯＭ１７は携帯電話１を動作させるための基本的なソフトウェアであるＯＳ（オペレーティング・システム）を内蔵している。携帯電話用の各種アプリケーション（例えばＪＡＶＡ（登録商標））は上記ＯＳ上で動作するものであり、ウェブの閲覧、着メロなどのデジタルコンテンツのダウンロードを行うことが出来る。
【００４０】
ＲＡＭ１８はウェブサーバ２よりダウンロードしたクライアントアプリケーションに相当するアプリケーション１８Ａ、ダウンロードした着メロデータ１８Ｂ、ダウンロードした広告データで「後で見る」指定を行った広告データのリストである広告データリスト１８Ｃ、コンテンツデータとともにダウンロードされる広告データの一時的な格納場所で次回のダウンロード時での表示を待つ表示待ち広告データ１８Ｄおよびアンケートデータ１８Ｅ、アンケートの結果を保存するアンケート結果１８Ｆ、また、その他のダウンロードしたデジタルコンテンツなどを記憶している。
【００４１】
また、ＲＡＭ１８は、内蔵のカメラ（図示せず）やマイク１５などにより撮影した撮影画像や録音した音声などを記憶するエリアおよび各種処理を行うためのワークエリアなどにも使用されている。本実施形態においては、ウェブブラウザ機能は、アプリケーション１８Ａにおいて例えばＪＡＶＡ（登録商標）アプリケーションにより実現されるものである。
【００４２】
入力部１２はテンキーおよび機能ボタンを有し、電話番号やＥ−ｍａｉｌアドレス、メールの内容などの入力に使用されたり、ウェブブラウザの閲覧場面からページの選択、ページ切り替え処理、リンク先の指定、着メロなどのコンテンツのダウンロードの指示などを行ったりするのに使用される。
【００４３】
表示部１１はウェブブラウザを使用した遷移する閲覧画面の表示や着メロなどのダウンロード時に表示される経過表示や、カメラ（図示せず）の撮影画面やメールで受信した撮影画面のなどの表示を行う。
【００４４】
次に本実施形態の動作について説明する。図４から図６、図８、図９は、ウェブサーバ２と携帯電話１との処理シーケンスおよび動作フローを示す図である。図６は後で広告を参照する時の携帯電話と携帯電話の利用者間の動作フローを示す図である。また、図７および図１０は広告もしくはアンケートを行う際のデータのダウンロード時の画面である。
【００４５】
以下に説明する着メロデータおよび広告データ、アンケートデータのダウンロードの動作は携帯電話１内のアプリケーション１８Ａが行う動作であり、着メロデータ、広告データ、アンケートデータなどの送信はウェブサーバ２内のアプリケーション２０４が行う動作である。
【００４６】
ダウンロード時に何らかの表示を携帯端末上の画面に表示させるためには、一旦携帯端末上に画面表示用のデータを保存しておいて、その保存した画面をコンテンツデータのダウンロード時に表示させる方法と、ダウンロード時に取得した画面情報をダウンロードの途中から表示させるという方法がある。
【００４７】
最初に一旦保存する方法して、コンテンツデータのダウンロード時に一緒にダウンロードして携帯端末内に保存して、次回以降に保存した画面表示用データをダウンロードの全セッション（コンテンツデータおよび広告データを含む全データのダウンロードの開始から終了まで）で表示するという方法であり、ダウンロード時間をもっとも有効に利用することが出来る。またこの方法では、ダウンロードするコンテンツデータと例えば広告などの画面表示用データのダウンロードの方法も種類もそれらの送信順序や同時に送信するなどの処理方法も特に問わない。
【００４８】
ダウンロード時に付随して送られてくる例えば広告などの画面表示用データをコンテンツのダウンロード中に直ちに行う場合は、先ず画面表示用データをダウンロードして一旦保存しておき、コンテンツデータをダウンロードする時に直前に受信して保存していた画面表示用データを表示することで可能である。ただし上記画面表示はコンテンツのダウンロード中に制限される。本発明は上記発明を含むが、本実施形態ではダウンロードの全セッションに渡って画面表示をさせるという形態の説明を行う。
【００４９】
また、ダウンロードの形式としてはダウンロードしながら表示も行うというストリーミング方式でも本発明の実施は可能である。
【００５０】
先ず図４から図６および図１１を使用して広告データのダウンロードおよび表示の方法について説明する。利用者が携帯電話１を使用してダウンロードサービスを提供しているウェブサーバ２にアクセスすると、ウェブサーバ２はウェブブラウザで閲覧する画面を送信する。本実施形態においては前記閲覧画面にダウンロード可能な着メロデータの一覧などが表示される（図示せず）。利用者がダウンロードを携帯電話１のキーなどの入力部１１を使用して指示すると携帯電話１はウェブサーバ２に対しダウンロード要求の信号を送信する（ステップＳ１０１）。
【００５１】
ウェブサーバ２は着メロのダウンロード要求を受付け（ステップＳ２０１）、着メロデータ送信の準備を行う。携帯電話１は着メロデータのダウンロード要求と同時に、画面表示１ルーチン（ステップＳ１０２）を起動する。
【００５２】
次にウェブサーバ２は着メロデータの送信を行い（ステップＳ２０２）、携帯電話１は着メロデータの受信処理を行う（ステップＳ１０３）。携帯電話１のアプリケーション１８Ａは次に広告データのダウンロード要求を行う（ステップＳ１０４）。なお、前記広告データのダウンロード要求は、本実施形態では要求を行っているダウンロードデータの後に行うようになっているが、ダウンロードデータの前後どちらで行っても構わないのは言うまでもない。
【００５３】
広告データのダウンロード要求を受信したウェブサーバ２は要求を受付け（ステップＳ２０３）、広告データの送信を行う（ステップＳ２０４）。携帯電話１は広告データを受信する（ステップＳ１０５）。携帯電話１は表示待ち広告データ１８Ｄに登録されている広告を画面に表示し、「後で見る」ボタンを選択決定したかどうかを判定する（ステップＳ１０６）。前記「後で見る」ボタンが選択決定されていれば表示している広告データの内容を広告データリスト１８Ｃに登録する（ステップＳ１０７）。このとき、登録するかどうかの確認の画面（図７（ｂ））を表示して確認後登録することも可能である（図示せず）。次に受信した着メロのデータは着メロデータ１８Ｂに保存し、広告データは表示待ち広告データ１８Ｄに保存する。
【００５４】
ダウンロード時の画面表示に関しては図５に記載している画面表示ルーチン１で行う。画面表示１ルーチンを以下に説明する。先ず前回取得した広告があるかどうか表示待ち広告データ１８Ｄの内容より判断する（ステップＳ１１１）。表示待ちの広告データが存在していた場合、次に表示有効期日内で且つ「後で見る」という選択がなされているかどうか判定する（ステップ１１２）。
【００５５】
携帯電話１の画面上は図７（ａ）が表示される。図７（ａ）中のＦ１００は携帯電話の画面である。Ｆ１０１は広告データの１部分であり、Ｆ１０３は「後で見る」ボタンである。また、Ｆ１０５は本実施形態ではデータをダウンロードしていることを表現している文字による経過表示であり、Ｆ１０７はプログレスバーを用いたダウンロードの経過表示を表している。
【００５６】
「後で見る」が選択されていない場合は広告を表示する（ステップＳ１１３）。つまり本実施形態ではサーバからはダウンロード要求ごとに同じ広告データ（ステップＳ２０４）が送られてくることがあっても、「後で見る」ボタンを選択決定することで広告データリスト１８Ｃに登録しておけば、送られてきた広告データと後で見る広告データリストの内容を比較して（ステップＳ１１２）同じものであれば表示しない。
【００５７】
加えて、携帯端末からの広告データのダウンロード要求時（ステップＳ１０４）に表示待ち広告データの唯一の識別子である広告ＩＤ（図１１）を前もって送っておくことでサーバ２が広告データを送る際（ステップＳ２０４）に、同じ広告データを送信することの無いような広告データの送信方法も可能である。
【００５８】
ダウンロードした広告が無い場合もしくは広告データが存在した場合においても表示有効期日を過ぎている場合または、表示有効期日は過ぎていないが「後で見る」を選択している場合は表示せず、ダウンロードの経過表示画面（図７（ｃ）が表示される（ステップＳ１１４）。
【００５９】
ダウンロードの後、携帯電話１を操作することで、「後で見る」を選択した後の広告データリスト１８Ｃから広告を選択して見る動作について図６および図７を用いて説明する。
【００６０】
図６において、携帯電話１の利用者は広告データリスト１８Ｃの画面表示の要求を行うと、携帯電話１は、その要求を受付け（ステップＳ１５１）、携帯電話１内のＲＡＭ１８内に保存されている広告データリスト１８Ｃを画面表示する（ステップＳ１５２および画面は図７（ｄ））。  
【００６１】
携帯端末１は広告が選択されるのを待ち（ステップＳ１５３）、選択されて無い場合はステップＳ１５２に戻り同じ処理を繰り返す（ステップＳ１５６）。広告が選択されている場合、携帯端末１は指定された広告を表示するかどうかの確認の画面を表示する（動作フローについては図示せず、画面は図７（ｅ））。選択した画面（図７（ｅ））を表示するか否かはボタンなどを用いて回答する（図７（ｅ）においては、Ｆ５０１を選択決定すると表示の肯定であり、Ｆ５０２を選択決定すると表示をやめることとなる）。
【００６２】
携帯端末１は表示が選択された場合は、広告データに指定されているＵＲＬ（図１１）へアクセスし（ステップＳ１５４）、ウェブサーバ２が要求を受付け（ステップＳ２５１）、ウェブサーバ２から閲覧情報の通知を受け（ステップＳ２５２）、広告データ対応のウェブ閲覧画面の画面表示を行う（ステップＳ１５５および画面は図７（ｆ））。
【００６３】
図１１に広告データの一例を示している。本実施形態における広告データは、広告を一意に指定出来る「広告ＩＤ」、広告としてダウンロード中に表示する文字列である「表示文字列」、該当広告の内容の詳細を格納している「詳細ページのＵＲＬ」および広告の「表示有効期日」などから構成されている。
【００６４】
次にデータのダウンロード中にアンケートを表示させる場合について図８から図１０、図１２を用いて説明する。ウェブサーバ２を閲覧している携帯電話１の利用者が着メロデータのダウンロードを行う際には、先ず前回保存したアンケートの結果があるかどうか調べる（ステップＳ１２１）。前回のアンケートの結果が無い場合は特に何もしないが、ある場合は着メロデータのダウンロード要求にアンケートの結果を追加し（ステップＳ１２２）、着メロデータのダウンロード要求をウェブサーバ２に対して行う（ステップＳ１２３）。同時に着メロデータのダウンロードに際しアンケートの表示機能を有する画面表示２ルーチン（ステップＳ１２４）を起動する。
【００６５】
着メロデータのダウンロード要求を受信したウェブサーバ２は、ダウンロード要求にアンケートの結果が付与されているか判断し、アンケートの結果がある場合はその結果を保存し（ステップＳ２２２）、無い場合は指定された着メロデータの送信を開始する（ステップＳ２２３）。携帯電話１は指定した着メロデータの受信を行い（ステップＳ１２５）、更にアンケートデータの受信要求をウェブサーバ２に対し行う（ステップＳ１２６）。本アンケートデータの受信要求は利用者が行うものではなく携帯電話１内のアプリケーション１８Ａが行うものである。
【００６６】
次にウェブサーバ２はアンケートの受信要求を受付け（ステップＳ２２４）、アンケートデータを携帯電話１に送信する（ステップＳ２２５）。アンケートデータの受信（ステップＳ１２７）の後、携帯電話１は指定された着メロデータのダウンロードの際に、アンケートを表示したかどうか判断し（ステップＳ１２８）、表示していればアンケートの入力結果を取り込み、一旦ＲＡＭ１８に保存する（ステップＳ１２９）。
【００６７】
次に指定したデータのダウンロードが完了すると着メロデータをＲＡＭ１８内に保存し（ステップＳ１３０）、同時にダウンロードしたアンケートデータについても一旦ＲＡＭ１８に保存する（ステップＳ１３１）。
【００６８】
次に画面表示２ルーチンについて図９を用いて説明する。先ず前回取得したアンケートがあるかどうか判断する（ステップＳ１４１）。有った場合、既にアンケート結果が回収されているアンケートかどうか判断し（ステップＳ１４２）、未だ結果が回収されていないアンケートであればそのアンケート（図９（ａ））を画面に表示する（ステップＳ１４３）。取得したアンケートが無い場合、アンケートはあるが既に結果を回収したものしか無い場合は通常のダウンロードの画面を表示する（図９（ｄ））。
【００６９】
利用者はアンケートの画面を見て、例えば「はい」、「いいえ」などを入力ボタンで選択決定すると前述したようにアンケートの結果が取得できる。
【００７０】
図１２にアンケートデータの内容の一例を示す。アンケートデータの内容としては、アンケートを識別する「アンケートＩＤ」と、そのアンケートの内容である「表示文字列」および利用者が選択して打ち込む結果と対応させる「選択肢の文字列／対応キー／コード」などで構成されている。例えば、本実施形態のアンケートＩＤのＩＤ＝００１では、携帯電話１の画面に表示されるアンケートの文字列は「ＡＢＣ企画は良かった？」であり、その時の回答は、携帯電話１の機能ボタンの左ボタンを選択決定すると「はい」であり、右ボタンを選択決定すると「いいえ」となる。
【００７１】
以上説明したように本実施形態によれば、携帯端末用のデジタルコンテンツのダウンロードに際し、ダウンロードの最中に広告やアンケートの実施およびアンケート結果の回収などが可能となり時間を有効に使用することが可能となる。また、アンケートについては、１回のダウンロードの要求で以前のアンケートの回答の回収と、新たなアンケートのダウンロードが出来るので効率的である。また本実施形態ではダウンロードデータとして着メロを一例として挙げているが、待ち受け画面、写真などの画像および撮影された動画などのデジタルコンテンツであれば時にコンテンツの内容に依存することは無い。
【産業上の利用可能性】
【００７２】
本発明は、携帯端末がダウンロード可能なデータを提供するコンテンツプロバイダ、コンテンツダウンロード方法、携帯端末でのコンテンツダウンロードプログラム、携帯端末を製造する産業で利用可能である。
【図面の簡単な説明】
【００７３】
【図１】本実施の形態による広告データ配信システムのシステム構成図である。
【図２】本実施の形態による携帯端末のブロック図である。
【図３】本実施の形態によるコンテンツ配信サーバのブロック図である。
【図４】本実施の形態によるコンテンツ配信サーバと携帯電話との処理シーケンスおよび動作フローを示す図である。
【図５】本実施の形態によるダウンロード時に広告表示画面表示を行う携帯電話の動作フローを示す図である。
【図６】本実施の形態による後で広告を参照する時の携帯電話と携帯電話の利用者間の動作フローを示す図である。
【図７】本実施の形態による携帯電話の広告データのダウンロード時の画面および、ダウンロードした広告データの後から見る画面を示す図である。
【図８】本実施の形態によるコンテンツ配信サーバと携帯電話との処理シーケンスおよび動作フローを示す図である。
【図９】本実施の形態によるダウンロード時にアンケート画面表示を行う携帯電話の動作フローを示す図である。
【図１０】本実施の形態による携帯電話のアンケートデータのダウンロード時の画面を示す図である。
【図１１】本実施の形態による広告データのデータフォーマットを示す図である。
【図１２】本実施の形態によるアンケートデータのデータフォーマットを示す図である。
【符号の説明】
【００７４】
１      携帯電話
２      ウェブサーバ
３      コンテンツＤＢ
１１    表示部
１２    入力部
１８    ＲＡＭ
１８Ａ  アプリケーション
１８Ｂ  着メロデータ
１８Ｃ  広告データリスト
１８Ｄ  表示待ち広告データ
１８Ｅ  アンケートデータ
１８Ｆ  アンケート結果
１９    通信制御部
２０１  通信処理部
２０２  制御部
２０３  記憶部
２０４  アプリケーション
２０５  クライアントアプリケーション
２０７  ＤＢインタフェース
２０８  着メロデータファイル
２０９  広告データファイル
２１０  アンケートデータファイル
【図１】
2005293328.tif 000003
【図２】
2005293328.tif 000004
【図３】
2005293328.tif 000005
【図４】
2005293328.tif 000006
【図５】
2005293328.tif 000007
【図６】
2005293328.tif 000008
【図７】
2005293328.tif 000009
【図８】
2005293328.tif 000010
【図９】
2005293328.tif 000011
【図１０】
2005293328.tif 000012
【図１１】
2005293328.tif 000013
【図１２】
2005293328.tif 000014